【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
可搬な状態又は架台に装着された状態で被写体を透過した放射線を検出する検出器と、
前記検出器を用いた放射線画像の撮影を制御する制御部と、
前記検出器の無線通信を中継する複数の中継器と、を有し、
前記架台は、前記検出器の装着を検知する検知部を有し、
前記制御部は、前記検知部からの検知情報又は前記検出器からの接続要求に基づいて、前記検出器の使用形態又は前記検出器の架台への装着を判定する判定手段と、前記判定手段による判定結果に基づいていずれかの中継器を選択する選択手段と、を有することを特徴とする放射線撮影システム。
【請求項２】
前記選択手段は、前記判定手段により複数の架台の中から前記検出器が装着された架台が判定された場合、当該架台の内部に設けられた中継器を選択することを特徴とする請求項１記載の放射線撮影システム。
【請求項３】
前記選択手段は、前記判定手段により前記検出器が可搬状態で使用されていると判定された場合、前記架台の外部に設けられた中継器を選択することを特徴とする請求項１又は２記載の放射線撮影システム。
【請求項４】
前記制御部は、前記検出器の使用形態又は装着先の架台と、中継器の候補と、通信設定とを関係付けた設定情報を保持する保持手段と、前記保持手段により保持された前記設定情報に基づいて通信設定を行なう通信設定手段と、を更に有し、
前記選択手段は、前記判定手段による判定結果と前記保持手段に保持された設定情報とに基づいて前記中継器の候補を決めるとともに、当該候補に決めた各中継器と前記検出器との間の通信強度に基づいていずれかの中継器を選択し、
前記通信設定手段は、前記選択手段により選択された中継器に対応する通信設定を設定することを特徴とする請求項１記載の放射線撮影システム。
【請求項５】
前記検出器は、使用形態又は架台への装着を判定する検出器側判定手段と、前記検出器側判定手段による判定結果に基づいていずれかの中継器を選択する検出器側中継器選択手段と、を有することを特徴とする請求項１記載の放射線撮影システム。
【請求項６】
前記検出器は、使用形態又は装着先の架台と、中継器と、通信設定とを関係付けた設定情報を保持する検出器側保持手段と、前記検出器側保持手段により保持された前記設定情報に基づいて前記検出器側中継器選択手段により選択された中継器に対応する通信設定を行なう検出器側通信設定手段と、を有することを特徴とする請求項５記載の放射線撮影システム。
【請求項７】
前記架台に設けられる前記検出器を装着するための収納部は、それぞれ異なる形状を有する突起部を有し、
前記検出器は、前記収納部に収納された際に前記突起部により押圧される複数のスイッチを有し、
前記検出器側判定手段は、前記スイッチの押圧状態に基づいて使用形態又は装着先の架台を判定することを特徴とする請求項５又は６記載の放射線撮影システム。
【請求項８】
可搬な状態又は架台に装着された状態で被写体を透過した放射線を検出する検出器を用いた放射線画像の撮影を制御する制御装置であって、
前記架台からの情報又は前記検出器からの接続要求に基づいて、前記検出器の使用形態又は前記検出器の架台への装着を判定する判定手段と、
前記判定手段による判定結果に基づいて、複数の中継器の中から前記検出器の無線通信を中継する中継器を選択する選択手段と、を有することを特徴とする制御装置。
【請求項９】
可搬な状態又は架台に装着された状態で被写体を透過した放射線を検出する検出器であって、
前記検出器の使用形態又は架台への装着を判定する判定手段と、
前記判定手段による判定結果に基づいていずれかの中継器を選択する選択手段と、を有することを特徴とする検出器。
【請求項１０】
前記選択手段により選択された中継器に対応する通信設定を設定する設定手段を更に有することを特徴とする請求項９に記載の検出器。
【請求項１１】
前記選択手段は、前記判定手段により複数の架台の中から前記検出器が装着された架台が判定された場合、当該架台に対応する中継器を選択することを特徴とする請求項９又は１０記載の検出器。
【請求項１２】
前記選択手段は、前記判定手段により前記検出器が可搬状態で使用されていると判定された場合、前記架台の可搬使用時用に設けられた中継器を選択することを特徴とする請求項９から１１のいずれか１項に記載の検出器。
【請求項１３】
可搬な状態又は架台に装着された状態で被写体を透過した放射線を検出する検出器と、前記検出器を用いた放射線画像の撮影を制御する制御部と、前記検出器の無線通信を中継する複数の中継器とを有する放射線撮影システムにおける中継器の選択方法であって、
判定手段が、前記検出器の装着を示す検知情報又は前記検出器からの接続要求に基づいて、前記検出器の使用形態又は前記検出器の架台への装着を判定する工程と、
選択手段が、前記判定手段による判定結果に基づいていずれかの中継器を選択する工程と、
を含むことを特徴とする放射線撮影システムにおける中継器の選択方法。
【請求項１４】
放射線検出器により検出された放射線画像を中継器を介して無線通信するシステムにおける制御装置であって、
前記放射線検出器の使用形態を判定する判定手段と、
前記判定手段による判定結果に基づいて、無線通信に使用する中継器を選択する選択手段と、を有することを特徴する制御装置。
【請求項１５】
前記判定手段は、前記放射線検出器により送信された信号に基づいて、前記使用形態を判定することを特徴とする請求項１４に記載の制御装置。
【請求項１６】
前記判定手段は、前記放射線検出器を設置した架台により送信された信号に基づいて、前記使用形態を判定することを特徴とする請求項１４に記載の制御装置。
【請求項１７】
前記使用形態は、少なくとも、可搬使用または架台に設置しての使用を含むことを特徴とする請求項１４乃至請求項１６の何れか１項に記載の制御装置。
【請求項１８】
放射線検出器により検出された放射線画像を中継器を介して無線通信するシステムにおける制御装置であって、
前記放射線検出器が設置された架台を判定する判定手段と、
前記放射線検出器が設置された架台に基づいて、無線通信に使用する中継器を選択する選択手段と、を有することを特徴する制御装置。
【請求項１９】
前記判定手段は、前記放射線検出器により送信された信号に基づいて、前記架台を判定することを特徴とする請求項１８に記載の制御装置。
【請求項２０】
前記判定手段は、前記放射線検出器を設置した架台により送信された信号に基づいて、前記架台を判定することを特徴とする請求項１８に記載の制御装置。
【請求項２１】
前記選択手段により選択した中継器に対応する通信設定に基づいて、該中継器を介して前記放射線検出器と通信する通信手段を有することを特徴とする請求項１４乃至請求項２０の何れか１項に記載の制御装置。
【請求項２２】
中継器を介して放射線画像を通信する放射線検出器であって、
前記放射線検出器の使用形態を判定する判定手段と、
前記判定手段による判定結果に基づいて、無線通信に使用する中継器を選択する選択手段と、を有することを特徴する放射線検出器。
【請求項２３】
中継器を介して放射線画像を通信する放射線検出器であって、
前記放射線検出器が設置された架台を判定する判定手段と、
前記放射線検出器が設置された架台に基づいて、無線通信に使用する中継器を選択する選択手段と、を有することを特徴する放射線検出器。
【請求項２４】
選択された中継器に対応する通信設定を設定する設定手段を有することを特徴とする請求項２２または請求項２３に記載の放射線検出器。
【請求項２５】
放射線検出器により検出された放射線画像を中継器を介して無線通信するシステムにおける制御装置の制御方法であって、
放射線検出器の使用形態を判定し、該判定結果に基づいて、無線通信に使用する中継器を選択することを特徴する制御装置の制御方法。
【請求項２６】
放射線検出器により検出された放射線画像を中継器を介して無線通信するシステムにおける制御装置の制御方法であって、
前記放射線検出器が設置された架台を判定し、前記放射線検出器が設置された架台に基づいて、無線通信に使用する中継器を選択することを特徴する制御装置の制御方法。
【請求項２７】
中継器を介して放射線画像を通信する放射線検出器の制御方法であって、
放射線検出器の使用形態を判定し、該判定結果に基づいて、無線通信に使用する中継器を選択することを特徴する放射線検出器の制御方法。
【請求項２８】
中継器を介して放射線画像を通信する放射線検出器の制御方法であって、
前記放射線検出器が設置された架台を判定し、前記放射線検出器が設置された架台に基づいて、無線通信に使用する中継器を選択することを特徴する放射線検出器の制御方法。
【請求項２９】
請求項８に記載の制御装置又は、請求項９乃至請求項１２の何れか１項に記載の検出器又は、請求項１４乃至請求項２１の何れか１項に記載の制御装置又は、請求項２２乃至請求項２４の何れか１項に記載の放射線検出器としてコンピュータを機能させることを特徴とするコンピュータプログラム。
【請求項３０】
請求項２９に記載のコンピュータプログラムを記憶した記憶媒体。
【手続補正２】
【補正対象書類名】明細書
【補正対象項目名】発明の名称
【補正方法】変更
【補正の内容】
【発明の名称】放射線撮影システム、中継器の選択方法、制御装置、放射線検出器、及びそれらの制御方法